Podtech/llm-jp-corpus-v4-ja_patent huggingface dataset:
【手続補正書】
【提出日】平成18年6月30日(2006.6.30)
【手続補正１】
【補正対象書類名】特許請求の範囲
【補正対象項目名】全文
【補正方法】変更
【補正の内容】
【特許請求の範囲】
【請求項１】
人体または動物の体に植え込まれるように構成された薬剤送達システムであって、
制御信号を発生させるように構成された制御部と、
薬剤送達部とを備え、該薬剤送達部が、
それぞれ所定量の薬剤を入れるように構成され、薬剤の送達を可能にする送達開口部を有する複数の区画と、
各区画の送達開口部を密封するように構成された膜と、
それぞれ区画の１つの送達開口部と関連し、制御信号に応じて所定の概ねＵ字形の破裂パターンに従って膜を破裂させるように構成されて、所定の概ねＵ字形の破裂パターンの内側に位置する第１の膜部分を所定の概ねＵ字形の破裂パターンに従って第２の膜部分から離すことができると共に、連結領域で第２の膜部分に旋回可能に取り付けられたままにする複数の解放要素とを含み、膜の破裂により人間または動物の体液を薬剤と混合させることが可能になり、それによって薬物が人体または動物の体内へ送達開口部を通して体液との混合物として解放される、薬剤送達システム。
【請求項２】
制御信号に応じた膜の破裂時に第１の膜部分が矩形の蓋を形成し、連結領域が、蓋の取り付けられた側辺に沿って延びかつ概ねＵ字形の破裂パターンの開いた端部を横切って延びるヒンジを形成する請求項１に記載の薬剤送達システム。
【請求項３】
それぞれ区画の１つを画定する、中に形成された複数の間隔を置いて配置されたキャビティを備えたウェハ本体を形成する基板をさらに備える請求項１に記載の薬剤送達システム。
【請求項４】
膜が基板と一体形成されている請求項３に記載の薬剤送達システム。
【請求項５】
キャビティがそれぞれ基板を通って延びて、各区画を薬剤で充填させる送達開口部と反対側の充填開口部を画定し、キャップが充填開口部を密封するように基板に結合された請求項３に記載の薬剤送達システム。
【請求項６】
膜を破裂させる助けとなるように、膜が所定のパターンに従って中に形成された脆弱線を有し、解放要素は制御信号に応じて膜を破裂させるように熱衝撃を加えるように構成された請求項１に記載の薬剤送達システム。
【請求項７】
膜がシリコンからできている請求項１に記載の薬剤送達システム。
【請求項８】
膜が所定の弾性変形限界および所定の破裂点を有し、膜が所定の弾性変形限界および所定の破裂点より小さな量だけ予め応力が加えられ、解放要素により膜は所定の弾性変形限界および所定の破裂点を超えて応力が加えられて、膜が破裂する請求項１に記載の薬剤送達システム。
【請求項９】
人体または動物の体に植え込みするように構成された薬剤送達システムであって、
制御信号を発生させるように構成された制御部と、
薬剤送達部とを備え、該薬剤送達部が、
ウェハ形本体を有する基板と、
所定量の薬剤を入れるために基板内に形成され、区画を薬剤で充填するのを可能にする充填開口部および区画からの薬剤の送達を可能にする送達開口部を有する区画と、
区画の充填開口部を密封するように構成されたキャップと、
区画の送達開口部を密封するように構成され、所定の弾性変形限界および所定の破裂点を有し、所定の弾性変形限界および所定の破裂点より少ない量だけ予め応力が加えられた膜と、
区画に関連し、膜に所定の弾性変形限界および所定の破裂点を超えて応力を加えるように構成されて、制御信号に応じて所定の概ねＵ字形の破裂パターンに従って膜が破裂して、蓋を形成するループ状の破裂パターンの内側の第１の膜部分を所定の概ねＵ字形の破裂パターンに従って第２の膜部分から離すと共に、ヒンジを形成する連結領域で第２の膜部分に旋回可能に取り付けられたままにする解放要素とを含み、膜の破裂により人間または動物の体液を薬剤と混合することが可能になり、それによって薬剤が人体または動物の体内へ送達開口部を通して体液との混合物として解放される、薬剤送達システム。
【請求項１０】
膜が基板と一体成形されている請求項９に記載の薬剤送達システム。
【請求項１１】
膜を破裂させる助けとなるように、所定の破裂パターンに従って中に形成された脆弱線を膜が有する請求項９に記載の薬剤送達システム。
【請求項１２】
膜がシリコンでできている請求項９に記載の薬剤送達システム。
【請求項１３】
膜が減圧状態で予め応力が加えられている請求項９に記載の薬剤送達システム。
【請求項１４】
薬剤が固体である請求項９に記載の薬剤送達システム。
【請求項１５】
解放要素が膜上に直接蒸着されておりかつ概ねＵ字形のパターンで配置されており、ヒンジは蓋の取り付けられた側辺に沿って延びかつ概ねＵ字形のパターンの開いた端部を横切って延びる請求項９に記載の薬剤送達システム。
【請求項１６】
解放要素が膜上に直接蒸着されている請求項２に記載の薬剤送達システム。
【手続補正書】
【提出日】平成18年4月5日(2006.4.5)
【手続補正１】
【補正対象書類名】特許請求の範囲
【補正対象項目名】全文
【補正方法】変更
【補正の内容】
【特許請求の範囲】
【請求項１】
隣接する椎骨間に挿入するための椎間プロテーゼであって、該プロテーゼは、以下：
上側プロテーゼ板および下側プロテーゼ板であって、それぞれの椎骨に対して設置可能であり、かつ該プロテーゼ板において、対向した凹型に弯曲したくぼみを有する、上側プロテーゼ板および下側プロテーゼ板；ならびに
該板の間に位置したコアであって、該コアは、該板の該くぼみに受容されて、該板が該コア上を関節結合した様式でスライドすることを可能にする、対向した凹型に弯曲した表面を有する、コア
を備え、
該コアの該対向した表面および該板の該くぼみは、協働する球状曲率を有し、各板は、該環状リムによって結合され、その結果該環状リムが、該板が該コア上をスライドする動きの所定の制限において、互いに接触するように配置されている、
椎間プロテーゼ。
【請求項２】
前記板は、前記リムに隣接した環状溝を有し、使用状態に前記プロテーゼを配置するために使用される器具によってその取り扱いが容易にされる、請求項１に記載のプロテーゼ。
【請求項３】
前記板の少なくとも一つは、位置づけペグを備え、該ペグは、前記コアの前記対向した凹型に湾曲した表面において中心に位置する開口部において緩く位置する、請求項２に記載のプロテーゼ。
【請求項４】
前記ペグは、前記板の内の一つが前記コアの上をスライドする動きの所定の制限において、前記開口部の側面に隣接するように配置される、請求項３に記載のプロテーゼ。
【請求項５】
前記板は、前記椎骨におけるスロットに位置づけ可能な、直立した細長いフィンを有する、請求項１〜４のいずれか１項に記載のプロテーゼ。
【手続補正書】
【提出日】平成18年7月21日(2006.7.21)
【手続補正１】
【補正対象書類名】特許請求の範囲
【補正対象項目名】全文
【補正方法】変更
【補正の内容】
【特許請求の範囲】
【請求項１】
各チップがＲＦ信号を送信し受信するための送信手段および受信手段を持っている、無線規格に対応する複数の集積回路チップを試験する方法であって、
複数のチップを互いに近接して配置し、
各チップの送信手段を既知の良好な基準チップとの関連で試験し、
前記複数のチップの一部を選択して信号発生グループを形成させると共に残余のチップに受信グループを形成させ、
前記信号発生グループによって発生された信号を用いて前記受信グループを試験する、
複数の集積回路チップを試験する方法。
【請求項２】
試験に先立って前記チップが試験盤に装着される、請求項１に記載の方法。
【請求項３】
すべてのチップが試験されるまで前記信号発生グループおよび受信グループの選択が繰り返される、請求項１または２に記載の方法。
【請求項４】
信号発生グループを形成するために選択されるチップの数は少なくとも一部が試験の要件によって決定される、請求項３に記載の方法。
【請求項５】
前記試験の要件が、発生された少なくとも２つの信号を必要とする試験を指定する、請求項４に記載の方法。
【請求項６】
前記試験の要件が、発生された３つの信号を要求する相互変調試験を指定する、請求項４または５に記載の方法。
【請求項７】
各チップがＲＦ信号を送信し受信するための送信手段および受信手段を持っている、複数の集積回路チップを試験する試験システムであって、
接続される試験手段からのデータで通信し、そのデータを制御し、取得するための通信、制御、およびデータ取得手段を持っているコンピュータと、
複数のチップソケットを備え、複数のチップソケットはそこに配置されたチップを物理的に受け入れ且つ電気的に接続するように構成され、そして、各ソケットが信号伝播および減衰手段を備えて前記コンピュータの制御のもとに他のソケットのそれぞれとの間で信号の送受信を行う、試験手段と、
を備え、
動作に際して、前記コンピュータがチップのグループを選択して、前記取得手段を介して前記チップの受信試験グループに取得される試験信号を発生する、
複数の集積回路チップを試験する試験システム。
【請求項８】
前記ソケットが試験盤上に配置されている、請求項７に記載のシステム。
【請求項９】
選択されたグループによって発生される信号が無線周波数信号である、請求項７または８に記載のシステム。
【請求項１０】
内部に配置されたチップを物理的に受け入れ且つ電気的に接続するように構成された複数のチップソケットを備え、各ソケットが信号伝播および減衰手段を備えて他のソケットのそれぞれとの間で少なくとも１つのチップによって発生された試験信号の送受信を行う、試験盤。
【請求項１１】
試験用コンピュータ上で実行される時、請求項１ないし４のいずれか１項に記載の方法を実施するための命令を備えたコンピュータプログラム。
【請求項１２】
前記データが試験用コンピュータにロードされる時に、請求項１ないし６のいずれか１項に記載の方法を実施するための命令を表すデータを記録しているコンピュータ読取り可能記憶媒体。
【手続補正書】
【提出日】平成18年10月18日(2006.10.18)
【手続補正１】
【補正対象書類名】特許請求の範囲
【補正対象項目名】全文
【補正方法】変更
【補正の内容】
【特許請求の範囲】
【請求項１】
液体（３０１）の表面に集束させたパルスレーザ（４０２）によって励起させた液体の光学発光の分光のための方法であって、分析ゾーン（３０４）がガス（３０９）の層流によって掃き流され、前記ガスの層流が、前記ガスの中に浮遊した、第１のレーザインパルスによって生じたプラズマの残留物を次のレーザインパルスが発せられる前に排除するのに十分な速度および断面を有するので、前記液体の自由表面に対する抑制効果を生み出すことを特徴とする方法。
【請求項２】
前記ガスの前記速度が、分析される前記液体の以下の特性、前記液体の温度、粘度、流量、乱流であるかまたは層流であるかの流れの性質のうちの少なくとも１つに応じて決定されることを特徴とする請求項１に記載の方法。
【請求項３】
前記ガスの前記層流によって掃き流される前記断面が、以下の特性、前記プラズマの膨張レート、前記レーザパルスの繰返しレート、測定の正確さのうちの少なくとも１つに基づいて決定されることを特徴とする請求項１または２に記載の方法。
【請求項４】
前記分析ゾーン内で前記液体が流れていることを特徴とする前記請求項のいずれか一項に記載の方法。
【請求項５】
分析中の前記液体の導管（３０２）を取り囲む導管（３１３，３０２）によって、前記ガスが前記分析ゾーン内へ運ばれることを特徴とする前記請求項のいずれか一項に記載の方法。
【請求項６】
前記レーザビームが、前記液体の表面によって形成される平面に対して９０度以外の角度に傾けられていることを特徴とする前記請求項のいずれか一項に記載の方法。
【請求項７】
前記レーザビームが、前記液体の表面によって形成される平面に対して６０度よりも大きい角度に傾けられていることを特徴とする請求項６に記載の方法。
【請求項８】
前記レーザビームによる励起後に前記液体によって発射された前記ビームが、前記レーザビームと同一の直線上で集められることを特徴とする前記請求項のいずれか一項に記載の方法。
【請求項９】
前記ガスがアルゴンまたはヘリウムであることを特徴とする前記請求項のいずれか一項に記載の方法。
【請求項１０】
液体の表面に集束させたパルスレーザによって励起させたこの液体の光学発光分光のための装置であって、
少なくとも１Ｇｗ／ｃｍ２の出力密度のコヒーレント光パルスを生み出すことが可能なレーザと、
分析される液体の少なくとも長さ１センチメートルの層ジェットを生み出すことが可能な手段と、
前記ガスの中に浮遊した、第１のレーザインパルスによって生じたプラズマの残留物を排除する、分析される前記液体の表面に平行でかつこの表面と接触したガスの層ジェットを生み出すことが可能な手段と、
分析ゾーン内の分析される液体の前記ジェットの表面に前記レーザビームを集束させることが可能な手段と、前記レーザの前期光パルスと分析中の前記液体の前記ジェットとの間の相互作用の結果生じた光を集めることが可能な手段と、
分析される前記液体から発射された光線が位置する周波数範囲で動作することができ、前記光ファイバ束によって集められた前記相互作用光を受け取るように配置された分光器と、
分析中の前記液体をジェットの形態で循環させることができる手段と、
分析される前記液体の接線方向に循環させる前記ガスをジェットの形態で循環させることができる手段とを備えることを特徴とする装置。
【請求項１１】
分析される前記液体から発射された前期光を集めることができる前記手段が、この光を前記励起レーザビームと同一の直線上で集める手段であり、
装置が、分析される前記液体およびガスの前記層ジェットを生み出すことができる前記手段をその中に含む気密性のエンクロージャを備え、
前記励起レーザビームと前記集められた光の方向との間の前記共線性が、前記レーザビームおよび前記集められた光に対する１つだけのエンクロージャ窓の使用を可能にすることを特徴とする請求項１０に記載の装置。
【誤訳訂正書】
【提出日】平成18年3月31日(2006.3.31)
【誤訳訂正１】
【訂正対象書類名】明細書
【訂正対象項目名】０００５
【訂正方法】変更
【訂正の内容】
【０００５】
本発明によれば、ギヤハウジング内における軸受（システム）は、それぞれ互いに独立に回転する同軸（同心）の軸上の少なくとも二つの並置されたホイールを有しており、当該軸は、それぞれ、各々一つの軸受を有する対向端で、ギヤハウジング内に保持されている。少なくとも一つの他の軸受が、前記軸の互いの軸受のために、前記一方及び他方の軸の間に設けられている。これにより、ギヤハウジング内のスペーサリングが不要となり得る。本発明による軸受（システム）は、本質的に、以下の利点を有する。 
−スペーサリングが不要となることによる、簡潔なハウジング構造。 
−スペーサリングが不要となることによる、軸方向の必要空間の低減。 
−軸よりも大きい直径を有する軸間軸受が不要となることによる、径方向の必要空間の低減。 
−両軸間の空間節約型軸受による、軸方向の必要空間の低減。 
−両軸間の低コストの軸方向及び径方向のニードル軸受による、コスト上の利点。 
−スペーサリングが不要となること、及び、両軸間のより軽量な軸受、による重量の低減。 
−両軸が等しく高速に等しい方向に回転する時の、外部軸受のわずかな出力損失。 
−例えば玉軸受／円錐ころ軸受のような、固定／解放軸受が投入される場合、両軸は、低減された組み立てコストによって、同時に設置され得る。
【誤訳訂正２】
【訂正対象書類名】明細書
【訂正対象項目名】０００９
【訂正方法】変更
【訂正の内容】
【０００９】
本発明の好ましい実施の形態によれば、ギヤハウジング内における軸受（システム）は、それぞれ互いに独立に回転する同軸（同心）の軸上の少なくとも二つの並置されたホイールを有しており、当該軸の一方は両端に、当該軸の他方は一端に、それぞれ、例えば玉軸受／円錐ころ軸受のような固定／解放軸受を有している。当該軸受は、ギヤハウジング内に保持されている。少なくとも一つの他の軸受が、前記一方及び他方の軸の間に設けられている。本発明による軸受（システム）は、本質的に、以下の利点を有する。
−スペーサリングが軸受だけを受容することによる、軸方向の必要空間の低減。
−両軸が等しく高速に等しい方向に回転する時の、４つの外部軸受の出力損失の代わりの、３つの外部軸受のわずかな出力損失。
【誤訳訂正３】
【訂正対象書類名】明細書
【訂正対象項目名】００１２
【訂正方法】変更
【訂正の内容】
【００１２】
図１が参照される。 
ギヤハウジング１内に、二つの並置されたホイール２、３が、それぞれ互いに独立に回転する同軸（同心）の軸４，５上に、保持されている。前記軸４，５は、従来、それぞれ、両端において軸受６、７、８、９を有している。それは、特に、スペーサリング（中間リング）によって、ギヤハウジング１内で保持されている。隣接する軸１１は、スペーサリング１３上の軸受１２により、ギヤハウジング１内に保持されている。
【手続補正書】
【提出日】平成18年2月20日(2006.2.20)
【手続補正１】
【補正対象書類名】特許請求の範囲
【補正対象項目名】請求項１
【補正方法】変更
【補正の内容】
【請求項１】
動力軸（入力軸）と、当該動力軸に対して同軸の出力軸（２）と、前記動力軸及び前記出力軸（２）に平行に配置された出力取り出しのための少なくとも一つの追加の中間軸（４）と、を備えた変速機における後進ギヤのための中間ギヤ（１）のシステムであって、
前記後進ギヤのための中間ギヤ（１）は、軸（３）によって駆動されると共に、出力軸（２）を駆動するようになっており、
前記後進ギヤのための中間ギヤ（１）は、駆動軸（３）と出力軸（２）との軸を通って広がる仮想平面（Ａ）の上方に配置されており、
当該平面（Ａ）が水平に調整される時に、駆動軸（３）は出力軸（２）の走行方向右側にある
ことを特徴とする後進ギヤのための中間ギヤ（１）のシステム。
【手続補正２】
【補正対象書類名】明細書
【補正対象項目名】００１６
【補正方法】変更
【補正の内容】
【００１６】
当該図面において、本発明に従う同軸の動力軸及び出力軸と出力取り出しのための少なくとも一つの追加の中間軸とを有する基本変速機における後進ギヤのための中間ギヤの構成の断面が示されている。後進ギヤのための中間ギヤ１によって駆動される主軸２と、カウンターシャフト３と、が図示されている。それは、中間ギヤ１を駆動する。出力取り出しのための中間ギヤ４は、後進ギヤ−中間ギヤ１に係合している。動力軸は図示されていない。それは、その主軸２に対する同軸の配置に基づいており、走行方向の当該断面の範囲では、図示不可能である。主軸２は、基本変速機の出力軸として利用される。
【手続補正３】
【補正対象書類名】明細書
【補正対象項目名】００１７
【補正方法】変更
【補正の内容】
【００１７】
本発明によれば、後進ギヤのための中間ギヤ１は、前記仮想平面Ａの上方に配置される。当該仮想平面は、駆動軸３と出力軸２との回転軸を通って広がっている。その際、平面Ａが水平に調整され、駆動軸３は出力軸２の走行方向の右側にある。
【手続補正書】
【提出日】平成18年9月7日(2006.9.7)
【手続補正１】
【補正対象書類名】特許請求の範囲
【補正対象項目名】請求項１６
【補正方法】変更
【補正の内容】
【請求項１６】
仮想上の上部境界は、容器の縦軸に直行する平面に１０°以内の最適平面を示すことを特徴とする請求項１５に記載の容器。
【手続補正２】
【補正対象書類名】特許請求の範囲
【補正対象項目名】請求項１７
【補正方法】変更
【補正の内容】
【請求項１７】
第２の領域の最上点は、第１の領域の最高点より少なくとも約８ｍｍ高く位置することを特徴とする請求項１４に記載の容器。
【手続補正３】
【補正対象書類名】特許請求の範囲
【補正対象項目名】請求項６６
【補正方法】変更
【補正の内容】
【請求項６６】
同一ゲルの露出上面は、容器の縦軸に対して０°〜２０°の角度を呈している最適平面であることを特徴とする請求項６１に記載の容器。
【手続補正４】
【補正対象書類名】特許請求の範囲
【補正対象項目名】請求項８１
【補正方法】変更
【補正の内容】
【請求項８１】
ゲルは、容器の下端部に配置されることを特徴とする請求項７６に記載のプロセス。
【手続補正５】
【補正対象書類名】明細書
【補正対象項目名】００１５
【補正方法】変更
【補正の内容】
【００１５】
典型的には、第２区域の最上点４６は、上部境界４４の最高点４８より少なくとも約８ｍｍ、より典型的には約８ｍｍ〜約２１ｍｍ高く位置する。
【手続補正６】
【補正対象書類名】明細書
【補正対象項目名】００３３
【補正方法】変更
【補正の内容】
【００３３】
次に、何らかのそのような追加の添加剤がチューブ内に置かれた後、チューブ（又は一群のチューブ）は、大気圧以下の圧力の真空化された室にさらされる。エラストマー・ストッパ又は突き刺し可能な膜のような封止体が適用され、チューブは、照射（例えば、コバルト６０の放射線による）、酸化エチレンガスの照射、電子ビームの照射のような処理により無菌化される。（これらのステップのいくつかは、上述した以外の順序で実行され得ることに留意されたい。）
本発明の容器は、望ましい寸法に形成されることが可能である。例えば、標準的な血液収集チューブは、１３ｍｍ又は１６ｍｍの外径及び７５ｍｍ又は１０ｍｍの長さを持つように意図されている。
【手続補正書】
【提出日】平成18年9月13日(2006.9.13)
【手続補正１】
【補正対象書類名】特許請求の範囲
【補正対象項目名】全文
【補正方法】変更
【補正の内容】
【特許請求の範囲】
【請求項１】
抵抗ベース特性を求めるための方法であって、この方法が：
磁界と対応付けられた信号強度を検出するよう構成されるセンサを提供するステップと；
導電性対象物をセンサの検出スペースに導入するステップと；
センサで生成される一次磁界を、センサと並び反対側にある他のセンサを通して強化するステップとを含む方法。
【請求項２】
請求項１に記載の方法であって、センサおよび他のセンサが渦電流センサであることを特徴とする方法。
【請求項３】
請求項１に記載の方法であって、信号強度が、導電性対象物と、導電性対象物の表面上に配設された薄膜との厚さを示すことを特徴とする方法。
【請求項４】
請求項１に記載の方法であって、抵抗ベース特性が、層厚さ、ドーパント濃度、薄膜スタック組成、金属薄膜健全性、表面粗さ、表面層健全性、不純物分布、粒径分布よりなる組から選定されることを特徴とする方法。
【請求項５】
請求項１で記載の方法であって、センサで生成される一次磁界を、センサと並び反対側にある他のセンサを通して強化する方法操作が、
他のセンサで生成される磁界の位相を、一次磁界の位相に対して１８０度だけ移相するステップを含むことを特徴とする方法。
【請求項６】
請求項２に記載の方法であって、導電性対象物が半導体基板であることを特徴とする方法。
【請求項７】
請求項６に記載の方法であって、半導体基板が導電性薄膜を含むことを特徴とする方法。
【請求項８】
導電性対象物の抵抗ベース特性を測定するための装置であって、この装置が：
第１の磁界で生成される信号を検出するよう構成される第１のセンサと；
第１のセンサと第２のセンサ間の検出スペース内に導電性対象物を設けることができるよう、第１のセンサの反対側にあり、第１の電流センサと実質的に並ぶ第２のセンサであって、この第２のセンサが、第１の磁界と同期する第２の磁界を生成する第２のセンサとを備える装置。
【請求項９】
請求項８に記載の装置であって、第１および第２のセンサが渦電流センサであることを特徴とする装置。
【請求項１０】
請求項９に記載の装置であって、信号の強度が、導電性対象物の層厚さ、導電性対象物のドーパントレベル、導電性対象物の健全性特性、導電性対象物の表面粗さ、導電性対象物の不純物量、導電性対象物の粒径よりなる組から選定されることを特徴とする装置。
【請求項１１】
請求項８に記載の装置であって、導電性対象物が半導体基板であることを特徴とする装置。
【請求項１２】
請求項９に記載の装置であって、第２のセンサが、第１の磁界に対して１８０度の移相で第２の磁界を生成することを特徴とする装置。
【請求項１３】
請求項１０に記載の装置であって、導電性対象物の層が金属層であることを特徴とする装置。
【請求項１４】
請求項１０に記載の装置であって、層の厚さが約２５００オングストロームと約０オングストロームの間であるところの装置。
【請求項１５】
磁場で生成される信号を通して対象物の層の厚さ判定を可能にするシステムであって、このシステムが：
ウェーハキャリアに埋め込まれた渦電流センサをもつウェーハキャリアであって、このウェーハキャリアが対象物を支持するよう構成されるウェーハキャリアと；
ウェーハキャリア下に配設された研磨パッドであって、この研磨パッドが、常磁性体、ニッケル含有化合物、コバルト含有化合物よりなる組から選定される金属裏打ちをもち、この金属裏打ちが磁界強化源として作用する研磨パッドと；
渦電流センサと通信する制御装置であって、この制御装置が、渦電流センサで検出される信号から対象物の層の厚さを出力するよう構成され、渦電流センサの感度が磁界強化源で強化されることを特徴とする制御装置とを備えるシステム。
【請求項１６】
請求項１５に記載のシステムであって、このシステムがさらに：
対象物の他の側面に向かい合って設けられる他の渦電流センサであり、他の渦電流センサが渦電流センサと実質的に並び電気的に同期する他の渦電流センサを備えるシステム。
【請求項１７】
請求項１５に記載のシステムであって、対象物が半導体基板であることを特徴とするシステム。
【請求項１８】
請求項１７に記載のシステムであって、半導体基板が導電性薄膜を含むことを特徴とするシステム。
【請求項１９】
請求項１５に記載のシステムであって、常磁性体が、マグネシウム、ガドリニウム、アルミニウムよりなる組から選定されることを特徴とするシステム。
【請求項２０】
請求項１５に記載のシステムであって、金属製裏打ちが研磨パッドのステンレス鋼裏打ちであることを特徴とするシステム。
【手続補正書】
【提出日】平成18年5月22日(2006.5.22)
【手続補正１】
【補正対象書類名】特許請求の範囲
【補正対象項目名】全文
【補正方法】変更
【補正の内容】
【特許請求の範囲】
【請求項１】
a)1つ以上の標的分析物に結合する1つ以上のプローブ分子を得る段階と、
b)1つ以上のカンチレバーにプローブ分子を結合する段階と、
c)1つ以上の標的分析物を含有することが疑われる少なくとも1つの試料にプローブ分子を曝露する段階と、
d)カンチレバーを偏向する段階と、
e)カンチレバーを元の位置に戻すために対抗力を与える段階と
を含む、分析物を検出および／または同定する方法。
【請求項２】
標的分析物が正味電荷を有する、請求項1記載の方法。
【請求項３】
カンチレバーが、電位の傾きに応答して偏向される、請求項2記載の方法。
【請求項４】
カンチレバーが、表面張力の変化に応答して偏向される、請求項1記載の方法。
【請求項５】
標的分析物が、アミノ酸、ペプチド、ポリペプチド、タンパク質、糖タンパク質、リポタンパク質、抗体、ヌクレオシド、ヌクレオチド、オリゴヌクレオチド、核酸、糖、炭水化物、オリゴ糖、多糖、脂肪酸、脂質、ホルモン、代謝物、増殖因子、サイトカイン、ケモカイン、受容体、神経伝達物質、抗原、アレルゲン、抗体、基質、代謝物、補因子、阻害物質、薬物、薬剤、栄養素、生物学的危険物、感染性物質、プリオン、ビタミン、複素環式芳香族化合物、発癌物質、変異原、廃棄物、ウイルス、細菌、サルモネラ(Salmonella)、ストレプトコッカス(Streptococcus)、レジオネラ(Legionella)、大腸菌(E. coli)、ジアルジア(Giardia)、クリプトスポリジウム(Cryptosporidium)、リケッチア(Rickettsia)、胞子、カビ、酵母、藻類、アメーバ、渦鞭毛藻類、単細胞生物、病原体、プリオン、および細胞からなる群より選択される、請求項1記載の方法。
【請求項６】
プローブ分子が、抗体、抗体断片、1本鎖抗体、遺伝的に操作された抗体、オリゴヌクレオチド、ポリヌクレオチド、核酸、核酸類似物、ペプチド核酸、タンパク質、ペプチド、合成ペプチド、結合タンパク質、受容体タンパク質、輸送タンパク質、レクチン、基質、阻害物質、活性化物質、リガンド、ホルモン、神経伝達物質、増殖因子、およびサイトカインからなる群より選択される、請求項1記載の方法。
【請求項７】
プローブ分子がオリゴヌクレオチドであり、標的分析物が核酸である、請求項1記載の方法。
【請求項８】
標的分析物がタンパク質またはペプチドである、請求項1記載の方法。
【請求項９】
プローブ分子が、抗体、抗体断片、遺伝的に操作された抗体、または1本鎖抗体である、請求項8記載の方法。
【請求項１０】
対抗力が磁気的なものである、請求項1記載の方法。
【請求項１１】
対抗力が電気的なものである、請求項1記載の方法。
【請求項１２】
対抗力が放射性のものである、請求項1記載の方法。
【請求項１３】
カンチレバーが、湾曲した表面を有する透明な物体に取り付けられる、請求項12記載の方法。
【請求項１４】
光線が、カンチレバーの平面に向けられる、請求項12記載の方法。
【請求項１５】
a)少なくとも1つのカンチレバーと、
b)カンチレバーに結合された少なくとも1つのプローブ分子と、
c)カンチレバーの一方の側の第1の電極と、
d)カンチレバーの他方の側の第2の電極と、
d)第1および第2の電極に機能的に接続された直流電源と
を含む装置。
【請求項１６】
情報処理および制御システムをさらに含む、請求項15記載の装置。
【請求項１７】
情報処理および制御システムがコンピュータである、請求項15記載の装置。
【請求項１８】
カンチレバーの偏向を検出するための検出ユニットをさらに含む、請求項15記載の装置。
【請求項１９】
検出ユニットがレーザーおよび位置検知型光検出器を含む、請求項18記載の装置。
【請求項２０】
検出ユニットが、圧電型検出器、圧電抵抗型検出器、または圧電磁気型検出器を含む、請求項18記載の装置。
【請求項２１】
カンチレバーに取り付けられた電磁石をさらに含む、請求項15記載の装置。
【請求項２２】
電磁石に機能的に接続された第2の電源をさらに含む、請求項21記載の装置。
【請求項２３】
第2の電源がコンピュータによって制御される、請求項22記載の装置。
【請求項２４】
カンチレバーに取り付けられた誘導電荷保存層をさらに含む、請求項15記載の装置。
【請求項２５】
誘導電荷保存層に機能的に接続された第2の電源をさらに含む、請求項24記載の装置。
【請求項２６】
第2の電源がコンピュータによって制御される、請求項25記載の装置。
【請求項２７】
カンチレバーに取り付けられた湾曲した表面を有する透明な物体をさらに含む、請求項15記載の装置。
【請求項２８】
レーザーおよび対物レンズをさらに含む、請求項27記載の装置。
【請求項２９】
検出ユニットに機能的に接続されたコンピュータをさらに含む、請求項18記載の装置。
【請求項３０】
各々が異なる種類のプローブ分子に結合されているカンチレバーアレイをさらに含む、請求項15記載の装置。
【請求項３１】
a)1つ以上の標的分析物に結合する1つ以上のプローブ分子を得る段階と、
b)1つ以上のカンチレバーに1つ以上の標的分析物を結合する段階と、
c)プローブ分子に標的分析物を曝露する段階と、
d)カンチレバーを偏向する段階と、
e)カンチレバーを元の位置に戻すために対抗力を与える段階と
を含む、分析物を検出および／または同定する方法。
【請求項３２】
標的分析物が、アミノ酸、ペプチド、ポリペプチド、タンパク質、糖タンパク質、リポタンパク質、抗体、ヌクレオシド、ヌクレオチド、オリゴヌクレオチド、核酸、糖、炭水化物、オリゴ糖、多糖、脂肪酸、脂質、ホルモン、代謝物、増殖因子、サイトカイン、ケモカイン、受容体、神経伝達物質、抗原、アレルゲン、抗体、基質、代謝物、補因子、阻害物質、薬物、薬剤、栄養素、生物学的危険物、感染性物質、プリオン、ビタミン、複素環式芳香族化合物、発癌物質、変異原、廃棄物、ウイルス、細菌、サルモネラ、ストレプトコッカス、レジオネラ、大腸菌、ジアルジア、クリプトスポリジウム、リケッチア、胞子、カビ、酵母、藻類、アメーバ、渦鞭毛藻類、単細胞生物、病原体、および細胞からなる群より選択される、請求項31記載の方法。
【請求項３３】
プローブ分子が、抗体、抗体断片、1本鎖抗体、遺伝的に操作された抗体、オリゴヌクレオチド、ポリヌクレオチド、核酸、核酸類似物、ペプチド核酸、タンパク質、ペプチド、結合タンパク質、受容体タンパク質、輸送タンパク質、レクチン、基質、阻害物質、活性化物質、リガンド、ホルモン、神経伝達物質、増殖因子、およびサイトカインからなる群より選択される、請求項31記載の方法。
【手続補正書】
【提出日】平成18年7月27日(2006.7.27)
【手続補正１】
【補正対象書類名】特許請求の範囲
【補正対象項目名】全文
【補正方法】変更
【補正の内容】
【特許請求の範囲】
【請求項１】
プロパンを測定する方法であって、
コリオリ流量計によって前記プロパンの質量流量を測定するステップと、
前記質量流量に基づいて前記プロパンの総体積を決定して前記総体積を提供するステップと、
前記質量流量と一定値とに基づいて前記プロパンの調整された体積を決定し、前記の調整された体積を提供するステップと、
を備え、前記一定値が基準温度でのプロパンの密度に対応することを特徴とする方法。
【請求項２】
前記一定値をプログラミング・インターフェースを介して調整するステップを更に備える、請求項１に記載の方法。
【請求項３】
前記一定値を調整する前記ステップが、規制機関によって承認されたプロパン密度に基づいて前記一定値を調整するステップを備える、請求項２に記載の方法。
【請求項４】
前記一定値を調整する前記ステップが、国の地域によって承認されたプロパン密度に基づいて前記一定値を調整するステップを備える、請求項２に記載の方法。
【請求項５】
前記一定値を調整する前記ステップが、州によって承認されたプロパン密度に基づいて前記一定値を調整するステップを備える、請求項２に記載の方法。
【請求項６】
前記一定値を調整する前記ステップが、前記プロパンの質に基づいて前記一定値を調整するステップを備える、請求項２に記載の方法。
【請求項７】
前記総体積を提供するステップが、プロパン配送のための規制機関の要件を満たすためのものである、請求項１に記載の方法。
【請求項８】
前記基準温度がほぼ６０°Ｆを含む、請求項１に記載の方法。
【請求項９】
前記の調整された体積に基づいて前記プロパンの請求書を発行するステップを更に備える、請求項１に記載の方法。
【請求項１０】
プロパンを測定する方法であって、
コリオリ流量計によって前記プロパンの質量流量を測定するステップと、
前記質量流量と一定値とに基づいて前記プロパンの調整された体積を決定するステップと、
を備え、前記一定値が基準温度でのプロパンの密度に対応することを特徴とする方法。
【請求項１１】
前記一定値をプログラミング・インターフェースを介して入力するステップを更に備える、請求項１０に記載の方法。
【請求項１２】
前記一定値を入力する前記ステップが、規制機関によって承認されたプロパン密度に基づいて前記一定値を入力するステップを備える、請求項１１に記載の方法。
【請求項１３】
前記一定値を入力する前記ステップが、国の地域によって承認されたプロパン密度に基づいて前記一定値を入力するステップを備える、請求項１１に記載の方法。
【請求項１４】
前記一定値を入力する前記ステップが、州によって承認されたプロパン密度に基づいて前記一定値を入力するステップを備える、請求項１１に記載の方法。
【請求項１５】
前記一定値を入力する前記ステップが、プロパンの質に基づいて前記一定値を入力するステップを備える、請求項１１に記載の方法。
【請求項１６】
前記基準温度がほぼ６０°Ｆを含む、請求項１０に記載の方法。
【請求項１７】
前記の調整された体積に基づいて前記プロパンの請求書を発行するステップを更に備える、請求項１０に記載の方法。
【手続補正書】
【提出日】平成18年8月2日(2006.8.2)
【手続補正１】
【補正対象書類名】特許請求の範囲
【補正対象項目名】全文
【補正方法】変更
【補正の内容】
【特許請求の範囲】
【請求項１】
以下を含む女性用コンドーム：
開放端と、閉鎖端と、外表面と、内表面とを有する、弾性膜材料のパウチ；および
該パウチの該外表面に取り付けられ、且つ、該開放端と該閉鎖端との間に配置された、少なくとも1つの親水性粘着部品であって、各々が、膣口またはそれよりわずかに奥で該パウチを係留するため該膣口とひだを有する膣内組織との間の移行部付近で膣壁に軽く粘着するよう適合された、少なくとも1つの親水性粘着部品。
【請求項２】
親水性粘着部品を少なくとも3つ含む、請求項1記載の女性用コンドーム。
【請求項３】
少なくとも3つの親水性粘着部品が、4〜6個の発泡体粘着部品を含む、請求項2記載の女性用コンドーム。
【請求項４】
親水性粘着部品がパウチ周囲にベルト状のパターンに配置される、請求項2記載の女性用コンドーム。
【請求項５】
少なくとも1つの親水性粘着部品が、概ね楕円形の形状を規定する、請求項1記載の女性用コンドーム。
【請求項６】
少なくとも1つの親水性粘着部品が、概ね三角形および概ね円形からなる群より選択される形状を規定する、請求項1記載の女性用コンドーム。
【請求項７】
少なくとも1つの親水性粘着部品が、ポリウレタン製の親水性発泡体セグメントである、請求項1記載の女性用コンドーム。
【請求項８】
少なくとも1つの親水性粘着部品の総表面積が約0.75平方インチである、請求項1記載の女性用コンドーム。
【請求項９】
パウチの遠位部を収容し且つ女性用コンドームの膣内への挿入を容易にするための、該パウチに連結された挿入器をさらに含む、請求項1記載の女性用コンドーム。
【請求項１０】
挿入器が膣内環境において概ね溶解性であり、且つ、パウチの遠位部が該挿入器に摺動可能に挿入される、請求項9記載の女性用コンドーム。
【請求項１１】
挿入器が、パウチに取り付けられたキャップである、請求項9記載の女性用コンドーム。
【請求項１２】
キャップが、エラストマーキャップおよび発泡体キャップからなる群より選択される、請求項11記載の女性用コンドーム。
【請求項１３】
パウチの遠位部が挿入器内に詰め込まれる、請求項9記載の女性用コンドーム。
【請求項１４】
少なくとも1つの親水性粘着部品が挿入器内に詰め込まれる、請求項13記載の女性用コンドーム。
【請求項１５】
挿入器が、バンド、カプセル、球形挿入器、エンベロープ形挿入器、先端が弾丸形の円筒形挿入器、および閉鎖端パウチからなる群より選択される、請求項9記載の女性用コンドーム。
【請求項１６】
挿入器が水溶性材料を含む、請求項10記載の女性用コンドーム。
【請求項１７】
水溶性材料がポリビニルアルコールを含む、請求項16記載の女性用コンドーム。
【請求項１８】
女性用コンドームであって、
開放端と、閉鎖端と、外表面と、内表面と、長軸とを有する、弾性膜材料の長いパウチ；および
該パウチの該外表面に取り付けられ且つ該開放端と該閉鎖端との間に配置された粘着機構であって、該パウチに外向きのバイアス力を伝えることなく該パウチに接着する粘着機構；
を含み、
ユーザーの膣内への挿入時に、該粘着機構が膣口とひだのある膣内組織との間の移行部付近で膣壁と接触し、且つ、該膣壁に軽く粘着するような、女性用コンドーム。
【請求項１９】
粘着機構が複数の親水性発泡体部品を含む、請求項18記載の女性用コンドーム。
【請求項２０】
粘着機構が、概ね長軸の周囲にベルト状のパターンに配置される、請求項18記載の女性用コンドーム。
【請求項２１】
親水性発泡体部品が、概ね楕円形、概ね三角形、および概ね円形からなる群より選択される形状を規定する、請求項20記載の女性用コンドーム。
【請求項２２】
パウチの遠位部を収容し且つユーザーの膣内への女性用コンドームの挿入を容易にするための、該パウチに連結された挿入器をさらに含む、請求項18記載の女性用コンドームであって、該挿入器が膣内環境において概ね溶解性である女性用コンドーム。
【請求項２３】
パッケージングされた女性用コンドームであって、
挿入器に収容されたパウチであって、開放端および遠位端を有するパウチ；
該パウチの外表面に取り付けられ且つ該開放端と該遠位端との間に配置された粘着機構；ならびに
該パウチの該遠位端に連結された挿入器であって、該パウチの遠位部および該粘着機構を折り畳んだ状態で収容する挿入器；
を含み、
ユーザーの膣内への挿入時に、該粘着機構が該挿入器から展開し、且つ、膣壁と接触して該膣壁に軽く粘着するような、パッケージングされた女性用コンドーム。
【請求項２４】
粘着機構が親水性の発泡体粘着部品を含む、請求項23記載の女性用コンドームパッケージ。
【請求項２５】
パウチの遠位部に形成された複数の第一のプリーツをさらに含む、請求項23記載の女性用コンドームパッケージ。
【請求項２６】
パウチの遠位部に形成された複数の第二のプリーツであって、第一のプリーツに対して概ね直角に配置された第二のプリーツをさらに含む、請求項25記載の女性用コンドームパッケージ。
【請求項２７】
挿入器が、エラストマーキャップおよび発泡体キャップからなる群より選択される、請求項23記載の女性用コンドームパッケージ。
【請求項２８】
挿入器が膣内環境において概ね溶解性である、請求項23記載の女性用コンドームパッケージ。
【請求項２９】
溶解性の挿入器が、バンド、カプセル、球形挿入器、エンベロープ形挿入器、先端が弾丸形の円筒形挿入器、および閉鎖端パウチからなる群より選択される、請求項28記載の女性用コンドームパッケージ。
【請求項３０】
開放部と反対側の遠位部とを有し且つ内腔を規定する長いパウチを含む女性用コンドームをパッケージングするための方法であって、以下の段階を含む方法：
該パウチの該遠位部に、該パウチの長軸に概ね平行に配置された縦方向プリーツを形成する段階；
該縦方向プリーツを該長軸に概ね平行に折り畳む段階であって、該縦方向プリーツが該遠位部にオーバーラップするような段階；
該パウチの該遠位部を該長軸に概ね平行に遠位端に向かって折り畳み、該長軸に概ね直角に配置された横方向プリーツを該遠位部に形成する段階；および
該折り畳んだ遠位部の周囲に挿入器を配置する段階。
【請求項３１】
複数の縦方向プリーツを形成する段階が以下の段階を含む、請求項30記載の方法：
パウチを長いマンドレル上に配置する段階であって、該マンドレルの一部が該パウチの内腔内に配置されるような段階；
該内腔から空気を抜く段階であって、該パウチの少なくとも遠位部が該マンドレルの周囲に折り畳まれる段階；および
該パウチの該縦方向プリーツを配列する段階。
【請求項３２】
請求項31記載の方法であって、
配列する段階が、パウチの外側に取り付けられた粘着部品の隣接する対の間に各プリーツを形成する段階を含み；
折り畳む段階が、各縦方向プリーツを概ね長軸の周囲で時計回りおよび反時計回りのうち1つの方向に回転させる段階を含み；
横方向プリーツを形成する段階が、内腔内に配置されたマンドレルの周囲で遠位部を滑らせる段階を含み；且つ
折り畳んだ遠位部の周囲に挿入器を配置する段階が、該遠位部を収容するためキャップの少なくとも一部を反転する段階を含む方法。
【手続補正書】
【提出日】平成18年9月15日(2006.9.15)
【手続補正１】
【補正対象書類名】特許請求の範囲
【補正対象項目名】全文
【補正方法】変更
【補正の内容】
【特許請求の範囲】
【請求項１】
患者への人工弁の移植を容易にするための縫合鋳型であって、該縫合鋳型は、：
複数の交連部分および複数の尖部分を有する環状本体であって、該複数の交連部分は、該複数の尖部分を利用して互いに結合して開口部を有する輪を形成する、輪状本体、
を備える縫合鋳型であって；
ここで該複数の交連部分の各々一つは、該尖部分から伸長する一対の直立のアームを備え、該アームは結合して先端部を形成し、そして該アームは、該アームの間に縫合糸を受けるための、細長く下方向に開口するノッチを規定する、縫合鋳型。
【請求項２】
各尖部分が、縫合糸を受けるためのノッチを備える、請求項１に記載の縫合鋳型。
【請求項３】
前記尖部分から伸長する前記複数の交連部分が、３つである、請求項２に記載の縫合鋳型。
【請求項４】
前記交連部分についての前記ノッチが、前記尖部分についての前記ノッチよりも長い、請求項２に記載の縫合鋳型。
【請求項５】
前記尖部分は、凹面をなした上面を有し、そして各交連部分についての前記ノッチは、隣接する尖部分の凹面をなした上面の最下点より上で上方へ伸長する、請求項２に記載の縫合鋳型。
【請求項６】
各尖部分の前記ノッチが、二つの交連部分の間の中央に位置する、請求項２に記載の縫合鋳型。
【請求項７】
各尖部分の少なくとも一つのさらなるノッチが、それぞれ中央に位置するノッチと各交連部分についての前記ノッチとの間に位置する、請求項６に記載の縫合鋳型。
【請求項８】
各尖部分は、放射状に内側に向けられたレッジを規定する下端を有する、請求項１に記載の縫合鋳型。
【請求項９】
各尖部分は、放射状に内側に向けられたレッジを規定する下端を有し、そして該レッジは、各尖部分の前記ノッチの両側に位置する、請求項２に記載の縫合鋳型。
【請求項１０】
前記ノッチが、下方に開口するノッチである、請求項２に記載の縫合鋳型。
【請求項１１】
前記ノッチが、上方に開口するノッチである、請求項２に記載の縫合鋳型。
【手続補正書】
【提出日】平成18年9月19日(2006.9.19)
【手続補正１】
【補正対象書類名】特許請求の範囲
【補正対象項目名】全文
【補正方法】変更
【補正の内容】
【特許請求の範囲】
【請求項１】
既知の最大寸法を有する脈管部位を閉鎖するための脈管閉塞デバイスであって、該デバイスは、複数の湾曲セグメントを備える最低エネルギー状態二次形状へと形成されるフィラメント状構造からなり、各湾曲セグメントは、脈管部位の前記既知の最大寸法にほぼ等しい直径を有し、該デバイスは、その最低エネルギー状態二次形状において、脈管部位の前記既知の最大寸法の少なくとも約２倍の全長を有する脈管閉塞デバイス。
【請求項２】
前記湾曲セグメントは、実質上円形のループである請求項１の脈管閉塞デバイス。
【請求項３】
前記湾曲セグメントの少なくとも一つは、脈管部位の前記既知の最大寸法にほぼ等しい直径を有するループである請求項２の脈管閉塞デバイス。
【請求項４】
当該デバイスは、その最低エネルギー状態二次形状において、脈管部位の前記既知の最大寸法の少なくとも約３倍の全長を有する請求項１の脈管閉塞デバイス。
【請求項５】
前記各湾曲セグメントは別個の軸線を規定し、そのため、該デバイスは、その最低エネルギー状態二次形状において複数の軸線を規定する請求項１の脈管閉塞デバイス。
【請求項６】
前記各湾曲セグメントは、平面と、該平面に実質上垂直な軸線とを規定する請求項５の脈管閉塞デバイス。
【請求項７】
前記複数の軸線は、実質上平行である請求項５の脈管閉塞デバイス。
【請求項８】
前記複数の軸線の隣り合う各組は鋭角をなす請求項５の脈管閉塞デバイス。
【請求項９】
前記複数の湾曲セグメントは、相互に接続する実質上閉じた複数のループである請求項５の脈管閉塞デバイス。
【請求項１０】
相互に接続する複数のループを備える最低エネルギー状態二次形状を有するフィラメント状構造からなる脈管閉塞デバイスであって、各ループは、平面と、該平面に垂直な固有の軸線とを規定し、該デバイスは、基端部及び先端部を有し、かつ、基端部と先端部の間に実質上連続的に曲がる構造を規定する脈管閉塞デバイス。
【請求項１１】
当該デバイスは、その最低エネルギー状態二次形状において、脈管部位の既知の最大寸法の少なくとも約２倍の全長を有する請求項１０の脈管閉塞デバイス。
【請求項１２】
前記ループの少なくとも一つは、脈管部位の前記既知の最大寸法にほぼ等しい直径を有する請求項１１の脈管閉塞デバイス。
【請求項１３】
前記フィラメント状構造の最低エネルギー状態二次形状は、前記基端部から先端部へと該フィラメント状構造に沿って経路が辿られ、該経路は、前記各軸線の周りに閉ループ経路セグメントを規定し、該経路セグメントは、連続する軸線の周りに時計回りセグメントと反時計回りセグメントとを交互に繰り返す請求項１０の脈管閉塞デバイス。
【請求項１４】
脈管部位を閉鎖する方法であって、
（ａ）脈管部位の最大寸法を求める工程と、
（ｂ）相互に接続する複数の湾曲セグメントを備える最低エネルギー状態二次形状へと形成されるフィラメント状構造からなる脈管閉塞デバイスであって、その最低エネルギー状態において、脈管部位の前記最大寸法の少なくとも約２倍の全長を有する当該デバイスを準備する工程と、
（ｃ）前記デバイスが、その最低エネルギー状態よりも実質上高いエネルギー状態を有する形状で脈管部位内に収容され、これにより、該デバイスが、その最低エネルギー状態形状へ戻らないように脈管部位との接触によって抑制されるように脈管部位の内部へと前記デバイスを配置する工程とを含む方法。
【請求項１５】
前記デバイスは、その最低エネルギー状態二次形状において、脈管部位の前記最大寸法にほぼ等しい直径を有する少なくとも一つの湾曲セグメントを有する請求項１４の方法。
【請求項１６】
前記各湾曲セグメントは実質上閉じたループであり、各ループは別個の軸線を規定する請求項１４の方法。
【請求項１７】
前記デバイスは、その最低エネルギー状態形状において、脈管部位の前記最大寸法の少なくとも約３倍の長さを有する請求項１４の方法。
【手続補正書】
【提出日】平成18年9月14日(2006.9.14)
【手続補正１】
【補正対象書類名】特許請求の範囲
【補正対象項目名】全文
【補正方法】変更
【補正の内容】
【特許請求の範囲】
【請求項１】
補綴閉塞器のための経皮的経管腔システムのための前端部ローダーであって、以下：
近位部分であって、該近位部分が、近位端、遠位端、およびそれらの間に位置する拡張管腔を備え、該拡張管腔が、該近位部分の遠位端に向かってテーパー状である、近位部分；ならびに
遠位部分であって、該遠位部分が、近位端、遠位端、それらを通って伸長する管腔、および傾斜付き端部を含むチューブを備え、該傾斜付き端部が、該チューブの該遠位端に位置し、ここで、該傾斜付き端部が、該補綴閉塞器を受容する、遠位部分、
を備える、前端部ローダー。
【請求項２】
請求項１に記載の前端部ローダーであって、前記傾斜付き端部が、面取されている、前端部ローダー。
【請求項３】
請求項２に記載の前端部ローダーであって、前記傾斜付き端部が、前記チューブの前記遠位端の周で面取されている、前端部ローダー。
【請求項４】
請求項１に記載の前端部ローダーであって、前記拡張管腔が、円錐形である、前端部ローダー。
【請求項５】
請求項１に記載の前端部ローダーであって、前記補綴閉塞器が、心臓内閉塞器を含む、前端部ローダー。
【請求項６】
請求項５に記載の前端部ローダーであって、前記心臓内閉塞器が、心房中隔欠損を処置するための閉塞器を含む、前端部ローダー。
【請求項７】
請求項５に記載の前端部ローダーであって、前記心臓内閉塞器が、心室中隔欠損を処置するための閉塞器を含む、前端部ローダー。
【請求項８】
請求項５に記載の前端部ローダーであって、前記心臓内閉塞器が、動脈管開存症を処置するための閉塞器を含む、前端部ローダー。
【請求項９】
請求項５に記載の前端部ローダーであって、前記心臓内閉塞器が、卵円孔開存症を処置するための閉塞器を含む、前端部ローダー。
【請求項１０】
請求項１に記載の前端部ローダーであって、前記傾斜付き端部が、患者の身体から前記補綴閉塞器を引き出すために、該補綴閉塞器を受容する、前端部ローダー。
【請求項１１】
請求項１に記載の前端部ローダーであって、前記傾斜付き端部が、患者の身体中に前記補綴閉塞器を送達するために、該補綴閉塞器を受容する、前端部ローダー。
【請求項１２】
請求項１に記載の前端部ローダーであって、前記傾斜付き端部が、前記チューブの前記遠位端を通して前記補綴閉塞器を受容する、前端部ローダー。
【請求項１３】
補綴閉塞器のための経皮的経管腔システムのための前端部ローダーであって、以下：
近位部分であって、該近位部分が、近位端、遠位端、およびそれらの間に位置する拡張管腔を備え、該拡張管腔が、該近位部分の該遠位端に向かってテーパー状である、近位部分；ならびに
遠位部分であって、該遠位部分が、近位端、遠位端、それらを通って伸長する管腔、および面取された縁部を含むチューブを備え、該面取された縁部が、該チューブの該遠位端に
位置し、該面取された縁部が、外側縁部および内側縁部を備え、該内側縁部が、該外側縁部に対して近位に位置し、ここで、該チューブの該遠位端が、該補綴閉塞器を受容する、遠位部分、
を備える、前端部ローダー。
【請求項１４】
請求項１３に記載の前端部ローダーであって、前記チューブの前記遠位端が、傾斜している、前端部ローダー。
【請求項１５】
請求項１３に記載の前端部ローダーであって、前記面取された縁部が、前記チューブの前記遠位端の周で面取されている、前端部ローダー。
【請求項１６】
請求項１３に記載の前端部ローダーであって、前記拡張管腔が、円錐形である、前端部ローダー。
【請求項１７】
請求項１３に記載の前端部ローダーであって、前記補綴閉塞器が、心臓内閉塞器を含む、前端部ローダー。
【請求項１８】
請求項１７に記載の前端部ローダーであって、前記心臓内閉塞器が、心房中隔欠損を処置するための閉塞器を含む、前端部ローダー。
【請求項１９】
請求項１７に記載の前端部ローダーであって、前記心臓内閉塞器が、心室中隔欠損を処置するための閉塞器を含む、前端部ローダー。
【請求項２０】
請求項１７に記載の前端部ローダーであって、前記心臓内閉塞器が、動脈管開存症を処置するための閉塞器を含む、前端部ローダー。
【請求項２１】
請求項１７に記載の前端部ローダーであって、前記心臓内閉塞器が、卵円孔開存症を処置するための閉塞器を含む、前端部ローダー。
【請求項２２】
請求項１３に記載の前端部ローダーであって、前記チューブの前記遠位端が、患者の身体から前記補綴閉塞器を引き出すために、該補綴閉塞器を受容する、前端部ローダー。
【請求項２３】
請求項１３に記載の前端部ローダーであって、前記チューブの前記遠位端が、患者の身体中に前記補綴閉塞器を送達するために、該補綴閉塞器を受容する、前端部ローダー。
【請求項２４】
請求項１３に記載の前端部ローダーであって、前記チューブの前記遠位端が、該チューブの該遠位端を通して前記補綴閉塞器を受容する、前端部ローダー。
【請求項２５】
患者に折りたたみ可能補綴閉塞器を送達するための前端部ローダーであって、該前端部ローダーが、以下：
近位部分であって、拡張管腔を備える、近位部分；および
遠位部分であって、近位端、遠位端、それらを通って伸長する管腔、および傾斜付き端部を含むチューブを備え、該傾斜付き端部が、該チューブの該遠位端に位置する、遠位部分、
を備え；ここで
該補綴閉塞器は、該チューブの管腔内で受容されることが意図され；そして
該補綴閉塞器は、該患者へと送達されることが意図される、
前端部ローダー。
【請求項２６】
請求項２５に記載の前端部ローダーであって、ここで、
該傾斜端部は、該補綴閉塞器の導入器シースの一部の管腔内へと導入され、パッキン押さえを交差させることに適している、
前端部ローダー。
【請求項２７】
患者から折りたたみ可能な補綴閉塞器を回収するための前端部ローダーであって、該前端部ローダーが、以下：
近位部分であって、拡張管腔を備える、近位部分；および
遠位部分であって、近位端、遠位端、それらを通って伸長する管腔、および傾斜付き端部を含むチューブを備え、該傾斜付き端部が、該チューブの該遠位端に位置し、該傾斜付き端部が面取されている、遠位部分、
を備え；ここで
該補綴閉塞器は、該チューブの管腔内で受容されることが意図され；そして
該補綴閉塞器は、該患者から回収されることが意図される、
前端部ローダー。